(57)【要約】  自動巻き取り式命綱は、ベースに動作可能に連結される第１側部および第２側部を含むドラムを備える。ロータは受け入れ部分を含み、動作可能にベースに連結される。つめはロータに枢動可能に動作可能に連結され、付勢部材はロータとつめとの間に配置され、付勢力をつめにかける。ブラケット部材は、キャビティおよびキャビティ内に延在する止め部材を含む。キャビティは、ドラム、ロータ、つめ、およびバネを受け入れるように構成および配置される。ドラムは、ブラケット部材に回転可能に動作可能に連結され、つめは止め部材近傍に配置される。つめおよび付勢部材は、ベースの第１側部、ロータ、およびブラケット部材によって所定の位置に保持される。【選択図】図１
2014532478.tif 000002
【特許請求の範囲】
【請求項１】
自動巻き取り式命綱であって、
命綱が動作可能に連結されるベース、ならびに前記ベースの両側に動作可能に連結される第１側部および第２側部を含むドラムと、
少なくとも１つの受け入れ部分を含み、前記ドラムに動作可能に連結されるロータと、
少なくとも１つのつめ、および少なくとも１つの付勢部材と、
キャビティおよび前記キャビティ内に延在する止め部材を含むブラケット部材とを備え、
前記少なくとも１つのつめは、前記少なくとも１つの受け入れ部分近傍で前記ロータに枢動可能に動作可能に連結され、
前記少なくとも１つの付勢部材は、前記ロータと前記少なくとも１つのつめとの間に配置されて、前記少なくとも１つのつめに付勢力をかけ、
前記少なくとも１つのつめは非係合位置および係合位置を有し、
前記キャビティは、前記ドラム、前記命綱、前記ロータ、前記少なくとも１つのつめ、および前記少なくとも１つの付勢部材を受け入れるように構成および配置され、
前記ドラムは前記ブラケット部材に回転可能に動作可能に連結されて、前記少なくとも１つのつめは前記止め部材近傍に配置され、
前記少なくとも１つのつめおよび前記少なくとも１つの付勢部材は、前記ベースの前記第１側部、前記ロータ、および前記ブラケット部材によって所定の位置に保持される、
ことを特徴とする自動巻き取り式命綱。
【請求項２】
請求項１に記載の自動巻き取り式命綱において、
前記ドラムは、前記ドラムから外方向に長手方向に延在する円筒部分を含み、
前記ロータは、前記円筒部分を受け入れるように構成および配置されるロータの開口を含む、
ことを特徴とする自動巻き取り式命綱。
【請求項３】
請求項１に記載の自動巻き取り式命綱において、
前記ロータは、前記ロータの対向する端部近傍に、第１の受け入れ部分および第２の受け入れ部分を含み、
第１のつめおよび第１のバネを受け入れるように構成および配置される前記第１の受け入れ部分、
第２のつめおよび第２のバネを受け入れるように構成および配置される前記第２の受け入れ部分である、
ことを特徴とする自動巻き取り式命綱。
【請求項４】
請求項１に記載の自動巻き取り式命綱において、
前記少なくとも１つの受け入れ部分は、切欠きのある部分および溝付き部分を含み、
前記少なくとも１つのつめは、円形部分、突出部、および三角形の突出部を含み、
前記切欠きのある部分は、前記円形部分を受け入れるように構成および配置され、
前記溝付き部分は、前記突出部および前記少なくとも１つの付勢部材を受け入れるように構成および配置され、
前記三角形の部分は、前記少なくとも１つのつめが前記係合位置にあるとき、前記止め部材に係合するように構成および配置される、
ことを特徴とする自動巻き取り式命綱。
【請求項５】
請求項１に記載の自動巻き取り式命綱において、
前記少なくとも１つのつめは、前記少なくとも１つのつめが前記係合位置にあるとき、前記ロータに接触するベース部分を含む、
ことを特徴とする自動巻き取り式命綱。
【請求項６】
請求項１に記載の自動巻き取り式命綱において、
前記ドラムと前記ブラケット部材とを相互に連結し、その結果、張力が前記命綱から解放されるとき、前記ドラムに付勢力をかけ、前記ドラムのまわりに前記命綱を巻き取るドラム付勢部材をさらに備える、
ことを特徴とする自動巻き取り式命綱。
【請求項７】
請求項１に記載の自動巻き取り式命綱において、
前記ブラケット部材を受け入れるように構成および配置されるハウジングをさらに備える、
ことを特徴とする自動巻き取り式命綱。
【請求項８】
請求項７に記載の自動巻き取り式命綱において、
前記ドラムと前記ハウジングとを相互に連結し、その結果、張力が前記命綱から解放されるとき、前記ドラムに付勢力をかけ、前記ドラムのまわりに前記命綱を巻き取るドラム付勢部材をさらに備える、
ことを特徴とする自動巻き取り式命綱。
【請求項９】
請求項１に記載の自動巻き取り式命綱において、
前記ブラケットは、第２の部分および第２のスロットとほぼ平行な第１のスロットに動作可能に連結される第１の部分を含み、
前記第１のスロットおよび前記第２のスロットは、前記第１の部分から前記第２の部分まで延在して、前記止め部材を形成し、
前記止め部材は、前記第１の部分および前記第２の部分から外方向に延在するように曲げられる、
ことを特徴とする自動巻き取り式命綱。
【請求項１０】
自動巻き取り式命綱によって使用されるブラケット部材であって、
第１の部分と、
前記第１の部分に動作可能に連結される第２の部分と、
前記第１の部分から前記第２の部分まで延在する第１のスロットと、
前記第１のスロットとほぼ平行して前記第１の部分から前記第２の部分まで延在する第２のスロットとを備え、
前記第１のスロットおよび前記第２のスロットはその間で止め部材を形成し、
前記止め部材は、前記第１の部分および前記第２の部分から外方向に延在するように曲げられる、
ことを特徴とするブラケット部材。
【請求項１１】
請求項１０に記載のブラケット部材において、
前記第２の部分は、ほぼ９０度の角度で前記第１の部分に動作可能に連結される、
ことを特徴とするブラケット部材。
【請求項１２】
請求項１０に記載のブラケット部材において、
前記止め部材は、ほぼ９０度の角度で曲げられる、
ことを特徴とするブラケット部材。
【請求項１３】
請求項１２に記載のブラケット部材において、
前記第２の部分は、前記止め部材が曲げられる方向の反対に、別のほぼ９０度の角度で、前記第１の部分に動作可能に連結される、
ことを特徴とするブラケット部材。
【請求項１４】
遠心ブレーキアセンブリであって、
円形部分および三角形の突出部が延在するベースを含む少なくとも１つのつめと、
少なくとも１つの付勢部材と、
前記円形部分を受け入れるように構成および配置される切欠きのある部分を有する少なくとも１つの受け入れ部分を含むロータと、
前記少なくとも１つのつめおよび前記ロータの一方が溝付き部分を有し、前記少なくとも１つのつめおよび前記ロータのもう一方が突出部を有して、前記突出部および前記少なくとも１つの付勢部材を受け入れるように構成および配置される前記溝付き部分とを備え、
前記少なくとも１つのつめは、前記ロータに対して前記円形部分のまわりで回転可能で、
前記少なくとも１つのつめの前記三角形の部分は、前記少なくとも１つのつめが係合位置にあるとき、止め部材に係合するように構成および配置され、
前記ベースは前記係合位置で前記ロータに接触し、前記少なくとも１つのつめを補強する、
ことを特徴とする遠心ブレーキアセンブリ。
【請求項１５】
請求項１４に記載の遠心ブレーキアセンブリにおいて、
前記少なくとも１つの付勢部材は、非係合位置で前記少なくとも１つのつめを付勢し、
前記ロータがあらかじめ設定された最大回転速度を上回ると、前記少なくとも１つのつめは、前記少なくとも１つの付勢部材を圧縮して、前記係合位置へ移動する、
ことを特徴とする遠心ブレーキアセンブリ。
【請求項１６】
請求項１４に記載の遠心ブレーキアセンブリにおいて、
前記少なくとも１つのつめは前記突出部を含み、
前記ロータは前記溝付き部分を含む、
ことを特徴とする遠心ブレーキアセンブリ。
【発明の詳細な説明】
【背景技術】
【０００１】
自動巻き取り式命綱は、作業を行う作業者が、落下の生じ得る危険性のある際に使用する周知の落下保護安全装置である。自動巻き取り式命綱は、一般に、ケーブル、ロープ、またはウェッビングのような命綱が巻きつけられるドラムを収容するハウジングを含む。ドラムは、命綱を引っ張る張力が与えられるときに、命綱を繰り出すとともに、命綱の張力が低減または解放されたときに、ドラムから繰り出された任意の命綱を巻き取るように、バネ付勢されている。また、ハウジングは、あらかじめ設定された最大回転速度よりも大きい速度でケーブルがドラムから急に繰り出されるときにドラムの回転を止めるブレーキアセンブリも含む。
【０００２】
自動巻き取り式命綱は、一般に、作業者が作業を行っている近傍内の支持構造体、および作業者によって着用される安全ベルトに連結される。行われている作業の種類によって、ハウジングまたは命綱の端部は支持構造体に連結され、もう一方の端部は作業者によって着用される安全ベルトに連結される。命綱は、作業者が装置から離れると、自動巻き取り式命綱のハウジングから簡単に引き出され、作業者が装置に向かって移動すると、ハウジング内に自動的に引き戻される。万一、落下が生じた場合、ラチェット部材または止め部材のような、しかしそれに限定されない装置内のブレーキ部材が遠心ブレーキアセンブリによって自動的に係合され、あらかじめ設定された最大回転速度よりも大きい回転速度で命綱がドラムから繰り出されるときにドラムの回転を止めることによって、作業者の落下を止める。ドラムの回転が止められると、ハウジングから命綱がさらに繰り出されるのが阻止されて、作業者の落下が止まる。
【０００３】
それ自身で、または第２の自動巻き取り式命綱とともに使用できる、比較的小さく、軽量の自動巻き取り式命綱を有することが望まれる。
【０００４】
前述した理由、および、本明細書を読んで理解することにより当業者に明らかになるであろう後述するその他の理由のため、従来技術においては、改良された自動巻き取り式命綱に対する必要性がある。
【発明の概要】
【０００５】
前述した従来の装置に関する問題点は、本発明の実施形態により対処されるとともに、本明細書を読んで理解することにより理解されるものとなるであろう。以下の概要は一例であり、限定ではない。これは、単に、読み手が本発明の態様のいくつかを理解するのを補助するために与えられるものに過ぎない。
【０００６】
１つの実施形態において、自動巻き取り式命綱は、ドラム、ロータ、少なくとも１つのつめ、少なくとも１つのバネ、およびブラケット部材を備える。ドラムは、命綱が動作可能に連結され、第１側部および第２側部がベースの両側に動作可能に連結されるベースを含む。ロータは少なくとも１つの受け入れ部分を含み、ベースに動作可能に連結される。少なくとも１つのつめは、ロータに枢動可能に動作可能に連結され、少なくとも１つの付勢部材は、ロータと少なくとも１つのつめとの間に位置し、少なくとも１つのつめに付勢力をかける。少なくとも１つのつめは、非係合位置および係合位置を有する。ブラケット部材は、キャビティおよびキャビティ内に延在する止め部材を含む。キャビティは、ドラム、命綱、ロータ、少なくとも１つのつめ、および少なくとも１つのバネを受け入れるように構成および配置される。ドラムは、ブラケット部材に動作可能に回転自在な状態で連結され、少なくとも１つのつめは、止め部材の近傍に配置される。少なくとも１つのつめおよび少なくとも１つの付勢部材は、ベースの第１側部、ロータ、およびブラケット部材によって、所定の位置に保持される。
【０００７】
１つの実施形態において、自動巻き取り式命綱によって使用されるブラケット部材は、第１の部分、および動作可能に第１の部分に連結される第２の部分を備える。第１のスロットは第１の部分から第２の部分まで延在し、第２のスロットは第１の部分から第２の部分まで、第１のスロットとほぼ平行に延在する。第１のスロットおよび第２のスロットはその間で止め部材を形成し、止め部材は第１の部分および第２の部分から外方向に延在するように曲げられる。
【０００８】
１つの実施形態において、遠心ブレーキアセンブリは、円形部分および三角形の突出部が延在するベースを含む少なくとも１つのつめ、および少なくとも１つの付勢部材を備える。ロータは、切欠きのある部分を有する少なくとも１つの受け入れ部分を含む。切欠きのある部分は、円形部分を受け入れるように構成および配置される。溝付き部分を有する少なくとも１つのつめおよびロータの一方、および突出部を有する少なくとも１つのつめおよびロータのもう一方。溝付き部分は、突出部および少なくとも１つの付勢部材を受け入れるように構成および配置される。少なくとも１つのつめは、円形部分のまわりをロータに対して回転可能であり、少なくとも１つのつめの三角形の部分は、少なくとも１つのつめが係合位置にあるとき、止め部材を係合するように構成および配置される。ベースは係合位置でロータに接触し、少なくとも１つのつめを補強する。
【図面の簡単な説明】
【０００９】
本発明は、詳細な説明と以下の図面を考慮することにより、より容易に理解することができ、さらなる利点とその使用方法がより明らかとなる。
【００１０】
【図１】図１は、本発明の原理に従い構成された自動巻き取り式命綱の分解斜視図である。
【図２】図２は、図１に示す自動巻き取り式命綱の正面部分断面図であり、遠心ブレーキアセンブリを示す。
【図３】図３は、図１に示す自動巻き取り式命綱の正面部分断面図であり、図２に示す遠心ブレーキアセンブリのつめが係合位置にあるのを示す。
【図４】図４は、安全ベルトに動作可能に連結された、本発明の原理に従い構成された自動巻き取り式命綱を示す。
【発明を実施するための形態】
【００１１】
慣習に従い、ここに記載した様々な特徴は寸法通り描かれていないが、本発明に関連する特定の特徴が強調して記載されている。符号は、図面および明細書を通じて同様の構成要素を示している。
【００１２】
以下の詳細な説明においては、符号が添付図面に付されており、この添付図面は、その説明の一部を成し、本発明が実施され得る例示的な実施形態によって示されるものである。これらの実施形態は、当業者が本発明を実施できるように十分詳細に記載されており、当然のことながら、本発明の精神と範囲から離れることなく、その他の実施形態を利用することができるとともに、機械的な変更を行うことができる。したがって、以下の詳細な説明は限定の意味に解すべきではなく、本発明の範囲は特許請求の範囲およびその均等物によってのみ規定される。
【００１３】
図１、２、および３に示すように、実施形態自動巻き取り式命綱１００はハウジング１０１を含み、ハウジングはその間にキャビティ１２１を画定する第１の部分１０２および第２の部分１１２を含む。第１の部分１０２は、中央近傍に開口１０５を有する板部１０３、および板部１０３の端部から外方向にほぼ垂直に延在する側面１０６を含む。カバー１０４は様々な情報を含む製品ラベルでもよく、板部１０３に動作可能に連結され、開口１０５を覆うように構成および配置される。上部の左右の隅および底部の中央は、側面１０６が延在する方向と平行に板部１０３から外方向に延在する突出部１０７を含む。突出部１０７は、遠位端近傍にフック状の部分（図示せず）を含む。底部の中央近傍に配置された突出部１０７の片側の近傍において、側面１０６はスロット（図示せず）を含み、円筒部分１１０は、突出部１０７およびスロット近傍にある。
【００１４】
第２の部分１１２は、中央近傍に開口１１５を有する板部１１３、および板部１１３の端部から外方向にほぼ垂直に延在する側面１１６を含む。カバー１１４は様々な情報を含む製品ラベルでもよく、板部１１３に動作可能に連結され、開口１１５を覆うように構成および配置される。上部の左右の隅および底部の中央は、第１の部分１０２から突出部１０７を受け入れるように構成および配置される受け入れ部材１１７を含み、突出部１０７の遠位端近傍のフック状の部分は、板部１１３近傍の受け入れ部材１１７に係合する。図１に示すように、底部の中央近傍に配置された受け入れ部材１１７の片側の近傍において、側面１１６はスロット１１６ａを含み、円筒部分１２０は受け入れ部材１１７およびスロット１１６ａ近傍にある。板部１１３の内面は、開口１１５の上部近傍の円筒部分１１８、および開口１１５の側部近傍のフランジ１１９を含む。図示されていないが、第１の部分１０２は同様に円筒部分およびフランジを含む。円筒部分１２０は第１の部分１０２の円筒部分に対応し、ローラー１２２の各端部はこれらの円筒部分によって受け入れられる。
【００１５】
ブラケット１２４は一般に逆Ｕ字形で、第１側部１２５と第２側部１２８とを相互に連結させる上部１３１を含む。任意の適切なブラケット部材が使用されてもよいことは、認識される。第１側部１２５は、中央近傍の開口１２７、および開口１２７の上に配置された開口１２６を含む。第２側部１２８は、中央近傍の開口１３０、および開口１３０の上に配置された開口１２９を含む。開口１２７と１３０とが対応し、開口１２６と１２９とが対応する。上部１３１は、中央近傍に開口１３２を含む。第１側部１２５と上部１３１との接合部近傍において、第１側部１２５から上部１３１まで延在する２つの一般に平行なスロットが切られ、２つのスロットの間の部分は、止め部材１３３を形成するために、内側に曲げられる。止め部材１３３は好ましくは一般に９０度の角度を形成する。止め部材１３３の両端がブラケット１２４に連結されたままのため、Ｕ字形のスロットまたは一方の端でのみ連結された切削によって形成されるよりも、止め部材１３３は非常に強い。したがって、止め部材１３３は補強されており、止め部材がつめの１つによって係合されても歪むことはほとんどない。また、止め部材がブラケット１２４に動作可能に連結された別の材料でもよいことは、認識される。
【００１６】
アンカー部材１３６は一般に、上部近傍のより大きい第１の開口１３７および底部近傍のより小さい第２の開口１３８による、２つのリング部を形成する。コネクタ１４０は、ブラケット１２４の上部１３１で開口１３２を貫通し、アンカー部材１３６をブラケット１２４に連結するように構成および配置される。コネクタ１４０は一般にＵ字形で、第１側部１４１と第２側部１４３とを相互に連結させる底部１４５を含む。第１側部１４１は遠位端近傍に開口１４２を含み、第２側部１４３は遠位端近傍に対応する開口１４４を含む。底部１４５は、一般に円盤状である。ワッシャ１４６は好ましくは、底部１４５とブラケット１２４との間に配置され、第１側部１４１および第２側部１４３はブラケットの上部１３１の開口１３２を貫通する。アンカー部材１３６の底部は、第１側部１４１と第２側部１４３との間に配置されて、開口１３８は開口１４２および１４４と一列に並び、ファスナ１４７が開口１４２、１３８、および１４４を貫通する。アンカー部材１３６は、ハウジング１０１の上部から外方に延在し、第１の開口１３７は、自動巻き取り式命綱１００を、フック（図示せず）またはその他の適切な周知のファスナによって支持構造体（図示せず）に連結させることを可能とする。
【００１７】
組み立てられたときスプールと類似するドラム１５０は、ベース１５１、ならびに動作可能にベース１５１の両側に連結される第１側部１５２および第２側部１５３である板部材を含む。好ましくは、図１に示すように、第２側部１５３はベース１５１と一体であるが、第２側部１５３が第１側部１５２と同様に、別々の構成要素でもよいことは、認識される。ベース１５１は、ボア１５０ｂとともにそこから外方向に延在する円筒部分１５０ｃ、ならびに、好ましくは、中央近傍をベース１５１および第２側部１５３の長手方向に貫通する円筒部分１５０ｃのまわりに配置された４つのより小さいボア１５０ａを含む。第１側部１５２は、円筒部分１５０ｃを受け入れるために構成および配置される開口１５２ｂ、ならびにボア１５０ａと対応する４つの開口１５２ａを含む。モータースプリングのような付勢部材１５９は、内側端部１５９ａおよび外側端部１５９ｂを含む。ハウジング１５９ｃは、付勢部材１５９の片側近傍で付勢部材１５９を受け入れるように構成および配置される。ハウジング１５９ｃは、付勢部材１５９が受け入れられるキャビティを形成するためにそこから外方向に延在する側面を有する円板部材を一般に含む。側面は、外側端部１５９ｂが貫通するスロットを含む。内側端部１５９ａは、周知の手段によって、第２側部１５３に動作可能に連結され、ハウジング１５９ｃは、リベット１３４またはその他の周知の手段によって、ブラケット１２４に動作可能に連結される。外側端部１５９ｂがハウジング１５９ｃに動作可能に連結され、ハウジングはブラケット１２４に動作可能に連結されるため、外側端部１５９ｂはブラケット１２４に動作可能に連結され、ブラケット１２４に対して一般に静止位置で保持される。
【００１８】
命綱１５５は、第１端、第２端、およびその間の中間部を含む。好ましい実施形態ではウェッビングを利用するが、ケーブル、ロープ、または別の適切な細長い部材が命綱として使用されてもよいことは認識される。命綱１５５の第１端は、ベース１５１に周知の手段によって固定的に動作可能に連結される。中間部は、ドラム１５０のベース１５１に巻きつけられ、かつ、ベース１５１から繰り出され、ドラム１５０の側部１５２および１５３は、命綱をベース１５１上に保つ。命綱１５５の第２端はハウジング１０１を貫通し、スナップフック１５７のような締付具に動作可能に連結される。また、命綱１５５はスナップフック１５７近傍に緩衝器１５６を含んでもよい。
【００１９】
遠心ブレーキアセンブリは、ロータ１６２、つめ１７２および１７６、ならびにバネ１８０および１８１を含む。ロータ１６２は、一般に２つの対向する受け入れ部分を含む長円形の円板または板である。第１の受け入れ部分１６５は、半円形部分を含む切欠きのある部分１６６、および溝付き部分１６７を含む。第２の受け入れ部分１６８は、半円形部分を含む切欠きのある部分１６９、および溝付き部分１７０を含む。ロータ１６２の中央近傍にある開口１６３は、第１側部１５２の開口１５２ｂと一列に並び、また、円筒部分１５０ｃを受け入れるように構成および配置される。開口１６４は開口１６３のまわりに配置され、開口１５２ａおよびボア１５０ａと一列に並ぶ。開口１６３および開口１６４は、ロータ１６２の中心、一般に円形の部分に配置される。受け入れ部分１６５および１６８は、ロータ１６２の中心部から外方向に延在し、一般に長円形の円板を形成する。
【００２０】
第１のつめ１７２は、円形部分１７３、突出部１７４、および一般に長方形のベース部分１７２ａから外方に完全に突出する三角形の突出部１７５ａを含む。円形部分１７３は、ベース部分１７２ａの第１の隅近傍において、外方に突出する。突出部１７４は、円形部分１７３近傍において、片側の中央近傍外方に突出する。切欠きのある部分１７５は、ベース部分１７２ａおよび三角形の突出部１７５ａによって形成され、三角形の突出部は、円形部分１７３に隣接する第２の隅近傍および突出部１７４の反対側の側面近傍において、外方に延在する。
【００２１】
ロータ１６２の第１の受け入れ部分１６５は、第１のつめ１７２および第１のバネ１８０を受け入れるように構成および配置される。切欠きのある部分１６６は円形部分１７３を受け入れ、溝付き部分１６７は第１のバネ１８０および突出部１７４を受け入れる。切欠きのある部分１６６は、第１のつめ１７２が円形部分１７３のまわりを回転できるように構成および配置される。ロータの溝付き部分およびつめの突出部が逆にされ、つめが、第１のバネおよびロータの突出部を受け入れるように構成および配置される溝付き部分を含んでもよいことは、認識される。
【００２２】
第２のつめ１７６は、円形部分１７７、突出部１７８、および一般に長方形のベース部分１７６ａから外方に完全に突出する三角形の突出部１７９ａを含む。円形部分１７７は、ベース部分１７６ａの第１の隅近傍において、外方に突出する。突出部１７８は、円形部分１７７近傍において、片側の中央近傍外方に突出する。切欠きのある部分１７９は、ベース部分１７６ａおよび三角形の突出部１７９ａによって形成され、三角形の突出部は、円形部分１７７に隣接する第２の隅近傍および突出部１７８の反対側の側面近傍において、外方に延在する。
【００２３】
ロータ１６２の第２の受け入れ部分１６８は、第２のつめ１７６および第２のバネ１８１を受け入れるように構成および配置される。切欠きのある部分１６９は円形部分１７７を受け入れ、溝付き部分１７０は第２のバネ１８１および突出部１７８を受け入れる。切欠きのある部分１６９は、第２のつめ１７６が円形部分１７７のまわりを回転できるように構成および配置される。ロータの溝付き部分およびつめの突出部が逆にされ、つめが、第１のバネおよびロータの突出部を受け入れるように構成および配置される溝付き部分を含んでもよいことは、認識される。
【００２４】
自動巻き取り式命綱を組み立てるために、命綱１５５はドラムのベース１５１に動作可能に連結され、第１側部１５２の開口１５２ｂは、円筒部分１５０ｃを受け入れる。第１側部１５２の開口１５２ａは、ドラム１５０のボア１５０ａに対応する。ロータ１６２は、円筒部分１５０ｃを受け入れるように構成および配置される開口１６３、および開口１５２ａおよびボア１５０ａに対応する４つの開口１６４を含む。ボア１５０ａ、開口１５２ａ、および開口１６４は、それぞれ、ドラム１５０のボア１５０ｂ、ロータ１６２の開口１５２ｂ、およびロータの開口１６３のまわりでほぼ均一に間隔をあけて、ファスナ１５４を受け入れるように構成および配置される。つめ１７２および１７６、ならびにバネ１８０および１８１は、それぞれ、受け入れ部分１６５および１６８に配置される。ドラム１５０、命綱１５５、モータースプリング１５９、および遠心ブレーキアセンブリは、ブラケット１２４の第１側部１２５と第２側部１２８との間にはまるように構成および配置され、ボア１５０ｂが開口１２７および１３０に対応する。アンカー部材１３６は、前述のとおり、ブラケット１２４に動作可能に連結される。つめ１７２および１７６は、第１側部１２５近傍に配置される。アクセル１８４は、開口１２７、ボア１５０ｂ、および開口１３０に挿通され、これらの構成要素を連結する。
【００２５】
次いで、ブラケット１２４とその中の構成要素、およびローラー１２２は、ハウジング１０１の第１の部分１０２と第２の部分１１２との間に配置される。第１側部１２５の開口１２６は、第１の部分１０２の円筒部分（図示せず）を受け入れるように構成および配置され、第２側部１２８の開口１２９は、第２の部分１１２の円筒部分１１８を受け入れるように構成および配置される。第２の部分１１２の受け入れ部材１１７は、第１の部分１０２の突出部１０７を受け入れ、突出部１０７の遠位端のフックライン部分は、受け入れ部材１１７を、ハウジング１０１の動作可能に連結された第１の部分１０２および第２の部分１１２に係合する。ブラケットの第１側部１２５および第２側部１２８の開口１２７および１３０、ならびにドラム１５０のボア１５０ｂは、ハウジングの第１の部分１０２および第２の部分１１２の開口１０５および１１５と一列に並び、アクセル１８４がそれらを貫通するように構成および配置され、ドラム１５０がブラケット１２４およびハウジング１０１に回転可能に動作可能に連結される。前述のとおり、ドラム１５０およびブラケット部材１２４に動作可能に連結されたモータースプリング１５９は、ドラム１５０に付勢力をかけ、命綱１５５の張力が解放されたとき、命綱１５５はドラム１５０のまわりに巻きつけられる。命綱１５５は、第１の部分１０２および第２の部分１１２のスロットを貫通し、ローラー１２２は、命綱１５５がハウジング１０１から繰り出されるとき、およびハウジングに回収されるときの、命綱１５５の摩耗の低減を支援する。
【００２６】
つめ１７２および１７６、ならびにバネ１８０および１８１は、ドラム１５０の第１側部１５２、ロータ１６２、およびブラケット１２４の第１側部１２５によって所定の位置に保持される。換言すれば、切欠きのある部分１６６および１６９、溝付き部分１６７および１７０、ドラム１５０の第１側部１５２、ならびにブラケット１２４の第１側部１２５は、つめ１７２および１７６、ならびにバネ１８０および１８１が配置される、拘束のためのキャビティまたは領域を形成する。
【００２７】
動作時には、自動巻き取り式命綱１００のハウジング１０１は、アンカー部材１３６を通して支持構造体に動作可能に連結され、命綱１５５は、スナップフック１５７を通して、作業者によって着用される安全ベルトに、動作可能に連結される。作業者の移動の距離を制限している命綱１５５の長さだけ、作業者には自動巻き取り式命綱１００の近傍を動き回る自由がある。作業者が自動巻き取り式命綱１００からさらに離れると、命綱１５５はドラム１５０から引き出され、ハウジング１０１から繰り出される。作業者が自動巻き取り式命綱１００に近づくと、モータースプリング１５９によってドラム１５０に与えられる付勢力により、命綱１５５はドラム１５０のまわりに巻きつけられ、ハウジング１０１に回収される。
【００２８】
万一落下が生じた場合には、ドラム１５０が命綱１５５を繰り出す際の急加速または高速度により、つめ１７２および１７６が、バネ１８０および１８１の力に打ち勝つ。遠心力により、つめ１７２および１７６が円形部分１７３および１７７のまわりを回転し、突出部１７４および１７８がバネ１８０および１８１を圧縮する。ドラム１５０が回転し、つめ１７２および１７６が非係合位置１９０から係合位置１９１へ移動すると、つめ１７２および１７６の１つがブラケット１２４の止め部材１３３に係合する。つめ１７２および１７６の切欠きのある部分１７５および１７９は、止め部材１３３に係合するように構成および配置される。さらに、突出部１７４および１７８は溝付き部分１６７および１７０内に配置され、つめ１７２および１７６のベース１７２ａおよび１７６ａはロータ１６２と接触し、止め部材１３３に係合するつめを補強する。第１のつめ１７２および第２のつめ１７６はそれぞれ、図２において非係合位置１９０で示され、第２のつめ１７６は図３において係合位置１９１で示される。命綱１５５があらかじめ設定された最大回転速度より大きい回転速度でドラム１５０から繰り出されると、つめ１７２および１７６は係合位置まで回転する。落下が止まったあと、止め部材１３３に係合していないつめは、付勢部材１５９の付勢力により非係合位置に戻る。つめ１７２および１７６のうちの１つによる止め部材１３３への係合により、ドラム１５０の回転が止まり、ハウジング１０１からのさらなる命綱１５５の繰り出しが止まる。一度、つめ１７２および１７６のうちの１つが止め部材１３３に係合すると、ドラム１５０が逆に回転し始め、ドラム１５０に命綱１５５を巻き戻すまで、係合は解除されない。緩衝器１５６はエネルギーを吸収し、落下により作業者に与えられる力の量を低減するために使用される。
【００２９】
使用時、落下中以外のときは、第１のバネ１８０は付勢力を第１のつめ１７２にかけて、三角形の突出部１７５ａはロータ１６２に接触し、第２のバネ１８１は付勢力を第２のつめ１７６にかけて、三角形の突出部１７９ａはロータ１６２に接触する。落下中、またはドラム１５０があらかじめ設定された速度で回転するとき、第１のバネ１８０および第２のバネ１８１の付勢力は打ち負かされ、第１のつめ１７２および第２のつめ１７６はそれぞれの溝付き部分１６７および１７０の方へ回転し、突出部１７４および１７８はそれぞれの第１のバネ１８０および第２のバネ１８１を圧縮する。
【００３０】
本発明の利点の１つは、自動巻き取り式命綱１００の製造および組み立ての容易さである。従来技術の自動巻き取り式命綱では、つめはつめがまわりを回転するピンを含み、つめはバネに固定的に取り付けられ、それが別の構成要素に固定的に取付けられている。本発明はつめにピンを含まず、任意の構成要素に固定的にバネを取り付けない。つめ１７２および１７６、ならびにバネ１８０および１８１は、ドラム１５０の第１側部１５２、ロータ１６２、およびブラケット１２４の第１側部１２５によって形成される適当な空間またはキャビティ内に簡単に配置される。
【００３１】
ドラム１５０の第１側部１５２、ロータ１６２、およびブラケット１２４の第１側部１２５は、拘束キャビティの境界を画定する包囲体を形成し、つめ１７２および１７６、ならびにバネ１８０および１８１は、前ストップ（第１側部１２５）および後ストップ（第１側部１５２）によって、第１の方向へ移動せず所定の位置に保持される。つめ１７２および１７６は、ロータ１６２によって、一般に第１の方向と直交する第２の方向へ移動せず所定の位置に保持される。バネ１８０および１８１は、ロータ１６２、ならびにつめ１７２および１７６のそれぞれの突出部１７４および１７８によって、第２の方向へ移動せず所定の位置に保持される。つめ１７２および１７６、ならびにバネ１８０および１８１は、拘束キャビティの境界によって、所定の位置に保持される。したがって、つめ１７２および１７６、ならびにバネ１８０および１８１は、ピンまたはその他の固定された周知の連結装置のような任意の相互接続を必要としない。
【００３２】
図４は、周知の手段によってベルトに動作可能に連結される自動巻き取り式命綱１００を示す。
【００３３】
ロータ１６２、つめ１７２および１７６、ならびにバネ１８０および１８１を含む、本発明の遠心ブレーキアセンブリは、好ましい実施形態の自動巻き取り式命綱１００での使用に限定されず、任意のその他の適切な自動巻き取り式命綱、または周知の制御された降下装置で使用されてもよいことは、認識される。
【００３４】
上記詳細説明、実施例、およびデータは、本発明の実施形態の構成の製造方法および使用方法の完全な説明を提供する。本明細書で特定の実施形態が例示および記載されたが、同じ目的を達成するために計算される任意の構成が、示される特定の実施形態で置換されてもよいことは、当業者によって理解されるであろう。本願は、本発明の任意の適応または変更に及ぶように意図される。したがって、本発明が特許請求の範囲およびその均等物によってのみ制限されることが明白に意図される。
【図１】
2014532478.tif 000003
【図２】
2014532478.tif 000004
【図３】
2014532478.tif 000005
【図４】
2014532478.tif 000006
【国際調査報告】
2014532478.tif 000007
2014532478.tif 000008